(57)【要約】【課題】一時保留部を利用して紙幣の整理計数処理を効率よく行う。【解決手段】紙幣を投入するための入金部と、入金部の紙幣を一枚ずつ繰り出して搬送する搬送部と、搬送部によって搬送される紙幣の金種を識別する識別部と、搬送部によって搬送される紙幣を一時的に収納するための一時保留部と、搬送部によって搬送された紙幣を投出するための出金部とを備える紙幣処理装置を利用して、識別部による識別結果に基づいて入金部に投入された紙幣を一時保留部に収納した後に複数金種の紙幣を金種別に所定枚数ずつ出金部へ投出する複数金種モードにより入金部に投入された紙幣の整理計数処理を行う。【選択図】  図２
2014002621.tif 000002
【特許請求の範囲】
【請求項１】
複数紙幣を投入するための入金部と、
前記入金部の紙幣を一枚ずつ繰り出して搬送する搬送部と、
前記搬送部によって搬送される紙幣の金種を識別する識別部と、
前記搬送部によって搬送される紙幣を一時的に収納するための一時保留部と、
前記搬送部によって搬送された紙幣を投出するための出金部と
を備え、
前記識別部による識別結果に基づいて、前記入金部に投入された紙幣を前記一時保留部に収納した後、複数金種の紙幣を、金種別に、所定枚数ずつ前記出金部へ投出する整理計数処理を行うことを特徴とする紙幣処理装置。
【請求項２】
複数の前記一時保留部を有し、
複数の前記一時保留部に収納する紙幣の金種を一時保留部毎に設定可能であることを特徴とする請求項１に記載の紙幣処理装置。
【請求項３】
前記入金部に投入された紙幣を前記識別部によって識別して各一時保留部に金種別に収納して、収納枚数が所定枚数に到達した金種の紙幣がある場合には、所定枚数に到達した前記金種の紙幣を前記一時保留部から繰り出すことにより、前記出金部に所定枚数ずつ金種別に投出することを特徴とする請求項２に記載の紙幣処理装置。
【請求項４】
前記一時保留部に収納する紙幣の表裏を設定可能であることを特徴とする請求項２に記載の紙幣処理装置。
【請求項５】
前記識別部は紙幣の表裏を識別し、
複数の前記一時保留部に、金種別に表券又は裏券のいずれか一方の紙幣のみを収納すると共に、複数の前記一時保留部に収納されない紙幣を金種混合状態で所定の一時保留部に収納して、
収納枚数が所定枚数に到達した金種の紙幣がある場合には、
金種別に紙幣が収納された複数の前記一時保留部のうち、収納枚数が所定枚数に到達した前記金種の紙幣が収納された前記一時保留部から紙幣を繰り出して前記出金部に投出すると共に、
金種混合状態で紙幣が収納された前記一時保留部から紙幣を繰り出して、所定枚数に到達した前記金種の紙幣のみを前記出金部へ投出しながら、他金種の紙幣を金種別に紙幣が収納された前記一時保留部に金種別に収納することにより、
前記出金部に所定枚数ずつ金種別に前記紙幣を投出することを特徴とする請求項４に記載の紙幣処理装置。
【請求項６】
前記識別部は紙幣の表裏を識別し、
複数の前記一時保留部に金種別に表券又は裏券のいずれか一方の紙幣のみを収納すると共に、複数の前記一時保留部に収納されない紙幣を金種混合状態で所定の一時保留部に収納して、
収納枚数が所定枚数に到達した金種の紙幣がある場合には、
金種混合状態で紙幣が収納された前記一時保留部から紙幣を繰り出して、金種別に紙幣が収納された前記一時保留部へ金種別に収納して、
金種別に紙幣が収納された複数の前記一時保留部のうち、所定枚数に到達した前記金種の紙幣が収納された前記一時保留部から紙幣を繰り出すことにより、
前記出金部に所定枚数ずつ金種別に前記紙幣を投出することを特徴とする請求項４に記載の紙幣処理装置
【請求項７】
複数の前記一時保留部に対応する複数の紙幣収納部をさらに備え、
各一時保留部に収納する紙幣の金種として、対応する前記紙幣収納部に割り当てられた紙幣の金種が設定されることを特徴とする請求項２〜６のいずれか１項に記載の紙幣処理装置。
【請求項８】
単一の前記一時保留部を有し、
紙幣を収納するための紙幣収納部をさらに備え、
前記入金部に投入された紙幣を前記識別部によって識別して前記一時保留部に収納して、
収納枚数が所定枚数に到達した金種の紙幣を前記一時保留部から繰り出して前記出金部へ投出しながら、他金種の紙幣を前記紙幣収納部へ収納することにより、
前記出金部に所定枚数ずつ金種別に前記紙幣を投出することを特徴とする請求項１に記載の紙幣処理装置。
【請求項９】
前記識別部は紙幣の表裏を識別し、
収納枚数が所定枚数に到達した金種の紙幣がある場合には、
前記一時保留部から紙幣を繰り出して、収納枚数が所定枚数に到達した前記金種の紙幣の表券及び裏券のいずれか一方を前記出金部へ投出しながら、収納枚数が所定枚数に到達した前記金種の紙幣の表券及び裏券の他方の紙幣と他金種の紙幣とを前記紙幣収納部へ収納すると共に、
前記紙幣収納部から紙幣を繰り出して、前記他方の紙幣を前記出金部へ投出しながら、前記他金種の紙幣を前記一時保留部へ収納することを特徴とする請求項８に記載の紙幣処理装置。
【請求項１０】
前記識別部は紙幣の表裏を識別し、
前記識別部によって識別された表券及び裏券のいずれか一方の紙幣のみを前記一時保留部に収納しながら他方の紙幣のみを前記紙幣収納部へ収納して、
収納枚数が所定枚数に到達した金種の紙幣がある場合には、
前記一時保留部に収納された紙幣の前記紙幣収納部への移動又は前記紙幣収納部へ収納された紙幣の前記一時保留部への移動を行うと共に、
該紙幣の移動先の前記一時保留部又は前記紙幣収納部から紙幣を繰り出して、所定枚数に到達した前記金種の紙幣を前記出金部に投出しながら、他金種の紙幣を移動元の前記紙幣収納部又は前記一時保留部へ収納することにより、
前記出金部に所定枚数ずつ金種別に前記紙幣を投出することを特徴とする請求項８に記載の紙幣処理装置。
【請求項１１】
前記識別部は紙幣の表裏を識別し、
所定枚数に到達した前記紙幣の表券又は裏券のいずれか一方のみを、前記搬送部の反転ルートの搬送又は前記紙幣の収納先の変更によって表裏反転して、前記紙幣の表裏を揃えた状態で前記出金部に投出することを特徴とする請求項１〜１０のいずれか１項に記載の紙幣処理装置。
【発明の詳細な説明】
【技術分野】
【０００１】
この発明は、複数の紙幣を所定枚数ずつ金種別に分類して整理する整理計数処理を行う紙幣処理装置に関し、特に、紙幣の入出金処理に紙幣を一時的に収納するための一時保留部を利用して整理計数処理を行う紙幣処理装置に関する。
【背景技術】
【０００２】
従来、金融機関の窓口に設置され、テラーによる入金処理や出金処理を補助するための貨幣処理装置が利用されている。例えば、特許文献１には、テラーや顧客の操作に応じて、入金紙幣を識別計数して装置内に収納する入金処理や装置内に収納されている紙幣を識別計数して投出する出金処理を自動的に行う紙幣処理装置が開示されている。
【０００３】
この装置は、入出金処理時に紙幣を一時的に収納するための一時スタッカ（一時保留部）を備えている。例えば、入金処理時には、入金口に投入された紙幣が装置内に繰り出されて、鑑別部によって識別計数された後、一時スタッカに一時的に収納される。そして、テラーや顧客が操作部を操作して識別計数結果を承認すると、一時スタッカに収納された紙幣が繰り出されてスタッカに収納され、入金処理が完了する。このとき、識別計数結果が承認されなかった場合には、入金処理がキャンセルされて、一時スタッカに収納された紙幣は出金口から返却される。紙幣を一時的に収納する一時保留部を利用して、入金処理がキャンセルされた際には、投入された紙幣現物をそのまま返却できるので、確実に紙幣処理を行うことができる。
【０００４】
金融機関では、複数金種が混在する紙幣束を、金種別かつ所定枚数ずつに分けて整理する整理計数処理が行われる。整理計数処理では、各紙幣の金種、真偽、正損等を確認しながら、金種別の紙幣枚数や紙幣束全体の合計金額等が計数される。紙幣処理装置を利用すれば、入金口から装置内に紙幣を投入して、各紙幣の識別結果に基づいて、所定金種の紙幣のみを一時保留部に収納しながら、他金種の紙幣を出金口から投出させることができる。全ての投入紙幣の識別処理が完了した後、出金口に投出された他金種の紙幣を取り除いてから、一時保留部に収納された紙幣を所定枚数ずつ出金口に投出させることで、所定金種の紙幣を所定枚数ずつに整理することができる。
【先行技術文献】
【特許文献】
【０００５】
【特許文献１】特開平６−６０２４６号公報
【発明の概要】
【発明が解決しようとする課題】
【０００６】
しかしながら、上記従来技術によれば、複数金種の紙幣を金種別に整理計数する場合に、紙幣処理を繰り返して行わなければならないという問題がある。具体的には、従来装置による整理計数処理は、複数金種が混在する紙幣束の中から、一金種の紙幣のみを抜き出して所定枚数ずつに分ける処理であるため、複数金種の紙幣を整理計数したい場合にはこの処理を金種別に繰り返し行う必要がある。
【０００７】
例えば、紙幣束の中に混在する万円券、五千円券及び千円券を金種別に整理計数したい場合には、紙幣束を装置に投入して、万円券のみを一時保留部に収納しながら他金種の紙幣を出金口に投出する。こうして紙幣束の中から万円券のみを取り出して万円券の処理を完了する。次に、出金口に投出された五千円券及び千円券が混在する紙幣束を、再度装置に投入して、同様の処理を行うことにより五千円券の処理を完了する。そして、最後に、千円券を、再度入金口に投入して所定枚数ずつに分けることにより整理計数処理を完了する。このように、整理計数したい金種の数に応じて処理を繰り返して行う必要があるため、複数金種の整理計数処理を行う場合には手間と時間がかかる。
【０００８】
本発明は、上述した従来技術による問題点を解消するためになされたもので、紙幣処理装置の備える一時保留部を利用して、複数金種の紙幣の整理計数処理を効率よく行うことができる紙幣処理装置を提供することを目的とする。
【課題を解決するための手段】
【０００９】
上述した課題を解決し、目的を達成するために、本発明は、紙幣処理装置であって、複数紙幣を投入するための入金部と、前記入金部の紙幣を一枚ずつ繰り出して搬送する搬送部と、前記搬送部によって搬送される紙幣の金種を識別する識別部と、前記搬送部によって搬送される紙幣を一時的に収納するための一時保留部と、前記搬送部によって搬送された紙幣を投出するための出金部とを備え、前記識別部による識別結果に基づいて、前記入金部に投入された紙幣を前記一時保留部に収納した後、複数金種の紙幣を、金種別に、所定枚数ずつ前記出金部へ投出する整理計数処理を行うことを特徴とする。
【００１０】
また、本発明は、上記発明において、複数の前記一時保留部を有し、複数の前記一時保留部に収納する紙幣の金種を一時保留部毎に設定可能であることを特徴とする。
【００１１】
また、本発明は、上記発明において、前記入金部に投入された紙幣を前記識別部によって識別して各一時保留部に金種別に収納して、収納枚数が所定枚数に到達した金種の紙幣がある場合には、所定枚数に到達した前記金種の紙幣を前記一時保留部から繰り出すことにより、前記出金部に所定枚数ずつ金種別に投出することを特徴とする。
【００１２】
また、本発明は、上記発明において、前記一時保留部に収納する紙幣の表裏を設定可能であることを特徴とする。
【００１３】
また、本発明は、上記発明において、前記識別部は紙幣の表裏を識別し、複数の前記一時保留部に、金種別に表券又は裏券のいずれか一方の紙幣のみを収納すると共に、複数の前記一時保留部に収納されない紙幣を金種混合状態で所定の一時保留部に収納して、収納枚数が所定枚数に到達した金種の紙幣がある場合には、金種別に紙幣が収納された複数の前記一時保留部のうち、収納枚数が所定枚数に到達した前記金種の紙幣が収納された前記一時保留部から紙幣を繰り出して前記出金部に投出すると共に、金種混合状態で紙幣が収納された前記一時保留部から紙幣を繰り出して、所定枚数に到達した前記金種の紙幣のみを前記出金部へ投出しながら、他金種の紙幣を金種別に紙幣が収納された前記一時保留部に金種別に収納することにより、前記出金部に所定枚数ずつ金種別に前記紙幣を投出することを特徴とする。
【００１４】
また、本発明は、上記発明において、前記識別部は紙幣の表裏を識別し、複数の前記一時保留部に金種別に表券又は裏券のいずれか一方の紙幣のみを収納すると共に、複数の前記一時保留部に収納されない紙幣を金種混合状態で所定の一時保留部に収納して、収納枚数が所定枚数に到達した金種の紙幣がある場合には、金種混合状態で紙幣が収納された前記一時保留部から紙幣を繰り出して、金種別に紙幣が収納された前記一時保留部へ金種別に収納して、金種別に紙幣が収納された複数の前記一時保留部のうち、所定枚数に到達した前記金種の紙幣が収納された前記一時保留部から紙幣を繰り出すことにより、前記出金部に所定枚数ずつ金種別に前記紙幣を投出することを特徴とする。
【００１５】
また、本発明は、上記発明において、複数の前記一時保留部に対応する複数の紙幣収納部をさらに備え、各一時保留部に収納する紙幣の金種として、対応する前記紙幣収納部に割り当てられた紙幣の金種が設定されることを特徴とする。
【００１６】
また、本発明は、上記発明において、単一の前記一時保留部を有し、紙幣を収納するための紙幣収納部をさらに備え、前記入金部に投入された紙幣を前記識別部によって識別して前記一時保留部に収納して、収納枚数が所定枚数に到達した金種の紙幣を前記一時保留部から繰り出して前記出金部へ投出しながら、他金種の紙幣を前記紙幣収納部へ収納することにより、前記出金部に所定枚数ずつ金種別に前記紙幣を投出することを特徴とする。
【００１７】
また、本発明は、上記発明において、前記識別部は紙幣の表裏を識別し、収納枚数が所定枚数に到達した金種の紙幣がある場合には、前記一時保留部から紙幣を繰り出して、収納枚数が所定枚数に到達した前記金種の紙幣の表券及び裏券のいずれか一方を前記出金部へ投出しながら、収納枚数が所定枚数に到達した前記金種の紙幣の表券及び裏券の他方の紙幣と他金種の紙幣とを前記紙幣収納部へ収納すると共に、前記紙幣収納部から紙幣を繰り出して、前記他方の紙幣を前記出金部へ投出しながら、前記他金種の紙幣を前記一時保留部へ収納することを特徴とする。
【００１８】
また、本発明は、上記発明において、前記識別部は紙幣の表裏を識別し、前記識別部によって識別された表券及び裏券のいずれか一方の紙幣のみを前記一時保留部に収納しながら他方の紙幣のみを前記紙幣収納部へ収納して、収納枚数が所定枚数に到達した金種の紙幣がある場合には、前記一時保留部に収納された紙幣の前記紙幣収納部への移動又は前記紙幣収納部へ収納された紙幣の前記一時保留部への移動を行うと共に、該紙幣の移動先の前記一時保留部又は前記紙幣収納部から紙幣を繰り出して、所定枚数に到達した前記金種の紙幣を前記出金部に投出しながら、他金種の紙幣を移動元の前記紙幣収納部又は前記一時保留部へ収納することにより、前記出金部に所定枚数ずつ金種別に前記紙幣を投出することを特徴とする。
【００１９】
また、本発明は、上記発明において、前記識別部は紙幣の表裏を識別し、所定枚数に到達した前記紙幣の表券又は裏券のいずれか一方のみを、前記搬送部の反転ルートの搬送又は前記紙幣の収納先の変更によって表裏反転して、前記紙幣の表裏を揃えた状態で前記出金部に投出することを特徴とする。
【発明の効果】
【００２０】
本発明によれば、一回の処理で複数金種の紙幣を金種別に所定枚数ずつ出金部へ投出させることができるので、大量の紙幣を効率よく整理計数することができる。
【００２１】
また、本発明によれば、複数の一時保留部の各々に収納する紙幣の種類を設定して、入金部に投入された複数紙幣を種類に応じて一時保留部に収納しながら処理することにより、複数金種の紙幣の整理計数処理を効率よく行うことができる。
【００２２】
また、本発明によれば、投入された紙幣を複数の一時保留部に金種別に収納した後、所定枚数に到達した金種の紙幣を各一時保留部から順に繰り出して、出金部に投出することにより、複数金種の紙幣の整理計数処理を効率よく行うことができる。
【００２３】
また、本発明によれば、各一時保留部に収納する紙幣の表裏を予め設定して表裏を揃えた状態で紙幣を収納することにより、出金部に投出される紙幣の表裏を揃えた状態とすることができる。
【００２４】
また、本発明によれば、複数の一時保留部に予め設定された表裏設定に基づいて紙幣を収納しながら表裏設定を満たさない紙幣を所定の一時保留部に集めて混合状態で収納した後、所定枚数に到達した金種の紙幣を投出する際に、所定の一時保留部に混合状態で収納された紙幣を繰り出して、投出対象金種の紙幣は表裏を揃えて出金部へ投出しながら投出対象外金種の紙幣は表裏を揃えて対応する各一時保留部へ収納し、その後、各一時保留部から表裏が揃えられた各金種の紙幣を繰り出して出金部へ投出することができるので、複数金種の紙幣の整理計数処理を効率よく行うことができる。
【００２５】
また、本発明によれば、複数の一時保留部に予め設定された表裏設定に基づいて紙幣を収納しながら表裏設定を満たさない紙幣を所定一時保留部に集めて混合状態で収納した後、所定一時保留部に混合状態で収納された紙幣を繰り出して対応する各一時保留部に表裏を揃えて収納し、その後、各一時保留部から表裏が揃えられた各金種の紙幣を繰り出して出金部へ投出することができるので、複数金種の紙幣の整理計数処理を効率よく行うことができる。
【００２６】
また、本発明によれば、各一時保留部に収納する紙幣の金種設定として、各一時保留部に対応する紙幣収納部に設定された金種設定を利用することができるので、複数の一時保留部の収納設定を容易に行うことができる。
【００２７】
また、本発明によれば、一時保留部が１つしかない場合でも、この一時保留部に金種混合状態で紙幣を収納した後、一時保留部から紙幣を繰り出して、投出対象金種以外の紙幣を紙幣収納部へ退避させながら投出対象金種の紙幣のみを出金部へ投出することができるので、複数金種の紙幣の整理計数処理を効率よく行うことができる。
【００２８】
また、本発明によれば、一時保留部に金種混合状態で紙幣を収納した後、一時保留部から紙幣を繰り出して、例えば、投出対象金種の表券と投出対象外金種の紙幣とを紙幣収納部へ退避させながら投出対象金種の表面のみを出金部へ投出して、その後、紙幣収納部から紙幣を繰り出して投出対象外金種の紙幣を一時保留部へ退避させながら投出対象金種の表券を出金部へ投出することができる。一時保留部と紙幣収納部との間で紙幣を移動させながら各金種の紙幣を順に投出することで、複数金種の紙幣の整理計数処理を効率よく行うことができる。
【００２９】
また、本発明によれば、例えば、一時保留部に表券を、紙幣収納部に裏券を、各々金種混合状態で収納した後、紙幣収納部から紙幣を繰り出して全ての紙幣を表裏を揃えた状態で一時保留部に集めて、その後、一時保留部から紙幣を繰り出して投出対象外金種の紙幣を紙幣収納部へ退避させながら投出対象金種の紙幣のみを出金部へ投出することができる。一時保留部と紙幣収納部との間で紙幣を移動させながら各金種の紙幣を順に投出することで、複数金種の紙幣の整理計数処理を効率よく行うことができる。
【００３０】
また、本発明によれば、紙幣の収納先を移動させることによって紙幣の表裏を反転させたり、搬送部に含まれる反転ルートを搬送することによって紙幣の表裏を反転させたりすることができるので、出金部に表裏を揃えた状態で紙幣を投出することができる。
【図面の簡単な説明】
【００３１】
【図１】図１は、実施例１に係る複数の一時保留部を有する紙幣処理装置の構成概略を示す断面模式図である。
【図２】図２は、紙幣処理装置の構成概略を示す機能ブロック図である。
【図３】図３は、実施例１に係る表裏反転部を利用する複数金種モードの紙幣処理について説明する図である。
【図４】図４は、実施例１に係る表裏反転部を利用する複数金種モードの異なる例について説明する図である。
【図５】図５は、実施例１に係る表裏反転部を利用しない複数金種モードの紙幣処理について説明する図である。
【図６】図６は、実施例１に係る表裏反転部を利用する単金種モードの紙幣処理について説明する図である。
【図７】図７は、実施例１に係る表裏反転部を利用しない単金種モードの紙幣処理について説明する図である。
【図８】図８は、実施例２に係る単一の一時保留部を有する紙幣処理装置の構成概略を示す断面模式図である。
【図９】図９は、実施例２に係る表裏反転部を利用する複数金種モードの紙幣処理について説明する図である。
【図１０】図１０は、実施例２に係る表裏反転部を利用しない複数金種モードの紙幣処理について説明する図である。
【図１１】図１１は、実施例２に係る表裏反転部を利用しない複数金種モードの異なる例について説明する図である。
【図１２】図１２は、実施例２に係る表裏反転部を利用しない複数金種モードのさらに異なる例について説明する図である。
【図１３】図１３は、整理計数処理の概要を示すフローチャートである。
【発明を実施するための形態】
【００３２】
以下に添付図面を参照して、この発明に係る紙幣処理装置について詳細に説明する。本発明は、紙幣及び硬貨のいずれにも適用可能な技術であるが、本実施形態では紙幣を対象に説明を行う。また、紙幣処理装置には、複数の一時保留部を備えるものと単一の一時保留部を備えるものがあるが、本発明はいずれの紙幣処理装置によっても実現することができる。以下では、実施例１で複数の一時保留部を備える場合について説明し、実施例２で単一の一時保留部を備える場合について説明する。
【実施例１】
【００３３】
図１は、本実施例に係る紙幣処理装置１の構成概略を示す断面模式図である。紙幣処理装置１は、装置内に紙幣を投入するための入金部１１と、装置内から紙幣を投出するための出金部１２と、リジェクト紙幣を収納するためのリジェクト部１３と、紙幣の金種、真偽、正損及び表裏を識別するための識別部３０と、識別部３０による識別結果に基づいて紙幣を分類収納するためのスタッカ２１ａ〜２１ｃと、同様に識別結果に基づいて紙幣を分類収納したりスタッカ２１ａ〜２１ｃへの紙幣の補充やスタッカ２１ａ〜２１ｃからの紙幣の回収に利用するための着脱式のカセット２０ａ及び２０ｂと、反転ルート及び非反転ルートから成り紙幣の表裏を揃えるための表裏反転部４０と、これら各部の間で紙幣を搬送するための搬送部５０とを備える。
【００３４】
また、カセット２０ａ及び２０ｂと、スタッカ２１ａ〜２１ｃとは、上部に専用の一時保留部６０ａ〜６０ｅを有している。カセット２０ａ及び２０ｂと、スタッカ２１ａ〜２１ｃと、一時保留部６０ａ〜６０ｅとは、搬送部５０によって搬送される紙幣の内部への収納と、内部に収納されている紙幣の搬送部５０への繰り出しとが可能な紙幣収納・繰出部として動作する。
【００３５】
図２は、紙幣処理装置１の概要を示す機能ブロック図である。紙幣処理装置１は、図１に示した構成に加えて、各部の動作を制御する制御部１０と、各部の制御に必要な情報を保存するための記憶部７０と、各部の状態、処理内容及び処理結果等に係る情報を表示したり該表示を確認しながら各処理に係る設定操作や指示操作を行うための表示操作部８０とを備える。
【００３６】
制御部１０は、表示操作部８０による設定操作や指示操作を受けることに加えて、上位端末９０からの設定命令や指示命令を受信することもできる。以下に説明する紙幣処理は、制御部１０が、表示操作部８０や上位端末９０から受信した命令に基づいて、各部１１〜７０の動作を制御することによって実現される。
【００３７】
また、制御部１０は、識別部３０による各紙幣の識別結果を記憶部７０に保存する。例えば、カセット２０ａ及び２０ｂ、スタッカ２１ａ〜２１ｃ及び各一時保留部６０ａ〜６０ｅに収納された紙幣の金種、正損、表裏及び枚数に関する情報が、記憶部７０に保存される。制御部１０は、必要に応じて、処理中の紙幣に関する情報、出金部１２へ投出された紙幣に関する情報、装置に投入された全ての処理対象紙幣に関する情報等を表示操作部８０に表示する。これにより、紙幣処理装置１の利用者は、紙幣処理装置１における紙幣処理の状況や、処理中の紙幣に関する情報、出金部に投出された紙幣の情報等を容易に確認することができる。
【００３８】
紙幣処理装置１は、図１及び図２に示す構成を有することにより、紙幣の入金処理や出金処理を行うことができる。入出金処理に係る装置各部の機能及び動作については、例えば、特開２００９−１５１３５４号公報に開示された従来装置と同様であるため、詳細な説明は省略することとし、以下では、本実施例に係る紙幣の整理計数処理について説明を続ける。
【００３９】
紙幣処理装置１は、複数金種モード及び単金種モードの２つの動作モードのうち、表示操作部８０又は上位端末９０から受けた指示に基づいて、選択された動作モードで整理計数処理を行うことができる。ここで、単金種モードとは、従来装置と同様に、単一金種の紙幣の整理計数処理を行う動作モードである。また、複数金種モードとは、複数金種の紙幣の整理計数処理を行うモードである。
【００４０】
まず、複数金種モードでの整理計数処理について説明する。図３は、表裏反転部４０を利用して、複数金種モードで整理計数処理を行う場合の紙幣処理について説明する図である。なお、整理計数処理は、カセット２０ａ及び２０ｂと、スタッカ２１ａ〜２１ｃとを利用することなく行われる処理であるため、図３ではこれらの図示を省略している。
【００４１】
入金部１１に、複数金種の紙幣が混在する紙幣束が載置されると、紙幣束の紙幣が１枚ずつ装置内へ繰り出される。入金部１１から繰り出された紙幣は、搬送部５０によって、図３（ａ）に示すように搬送される。各紙幣は、表裏反転部４０の非反転ルートを経て識別部３０に搬送され、ここで金種、真偽、正損及び表裏の識別処理が行われる。そして、各紙幣は、識別結果に基づいて、対応する一時保留部６０ｂ〜６０ｅに収納される。具体的には、紙幣の表裏によらず金種のみに基づいて、二千円券は一時保留部６０ｂに、千円券は一時保留部６０ｃに、五千円券は一時保留部６０ｄに、万円券は一時保留部６０ｅに分類して収納される。
【００４２】
なお、一時保留部６０ａ〜６０ｅに収納される紙幣の金種や表裏等の情報は、予め設定され記憶部７０に保存されているが、表示操作部８０や上位端末９０を利用して設定を変更することもできる。また、整理計数処理時に各一時保留部６０ａ〜６０ｅに収納する紙幣の種類の設定は、整理計数処理用の専用設定とすることもできるし、カセット２０ａ及び２０ｂとスタッカ２１ａ〜２１ｃに入出金処理時に収納される紙幣の金種等が設定され、これを整理計数処理にも利用できる場合には、この入出金処理用の設定を利用してもよい。このように、複数金種モードで処理対象とする紙幣の金種等が設定されると、この設定に含まれない紙幣は、処理対象外紙幣として出金部１２へ搬送される。
【００４３】
識別部３０によって偽券と識別された紙幣や識別できなかった紙幣等、所定条件に合致する紙幣はリジェクト部１３に搬送されて収納されるが、該所定条件についても、予め設定され記憶部７０に保存されている。例えば、市場で再利用できない損券はリジェクトしながら正券のみを整理計数処理の対象としたい場合には、リジェクト条件をそのように設定することで損券をリジェクト部１３に搬送して収納することができる。
【００４４】
こうして、入金部１１に載置された全ての紙幣が、対応する一時保留部６０ｂ〜６０ｅに金種別に分類して収納されると、図３（ｂ）に示すように、各一時保留部６０ｂ〜６０ｅに収納された紙幣を出金部１２に投出する処理が開始される。
【００４５】
例えば、表示操作部８０に紙幣の識別計数処理が完了した旨の情報が表示され、該表示を確認した利用者が表示操作部８０を操作すると、出金部１２及び搬送部５０に紙幣が残存しないことが確認された後、所定枚数の万円券が、一時保留部６０ｅから繰り出されて出金部１２へ投出される。
【００４６】
このとき、図３（ｂ）に実線で示したように、表券は表裏反転部４０の非反転ルートを経てそのままの状態で出金部１２へ搬送される。これに対して、裏券は、図３（ｂ）に一点鎖線で示したように、表裏反転部４０の反転ルートを経て表裏が反転され、表券の状態にしてから出金部１２へ搬送される。これにより、表裏が揃った状態で万円券を出金部１２に投出することができる。なお、表券とは紙幣の表面を上方に向けた状態を言い、裏券とは紙幣の裏面を上方に向けた状態を言う。
【００４７】
例えば、紙幣を金種別に１００枚ずつ投出するように設定されている場合には、一時保留部６０ｅから繰り出された１００枚の万円券が出金部１２へ投出された時点で紙幣の投出が停止される。そして、利用者が、出金部１２から紙幣を取り除き、表示操作部８０を操作すると、一時保留部６０ｅからの万円券の投出が再開される。万円券を１００枚ずつ投出する処理を繰り返して、一時保留部６０ｅに残った万円券の枚数が１００枚に満たない状態になると、端数の万円券が全て出金部１２へ投出されると共に、表示操作部８０には投出された端数の万円券の枚数が表示される。この表示によって、利用者は、投出された万円券が１００枚に満たないことを認識することができる。
【００４８】
こうして全ての万円券の投出が完了すると、これを示す情報が表示操作部８０に表示される。利用者が該表示を確認して出金部１２から端数の万円券を取り除き、表示操作部８０を操作すると、次に、一時保留部６０ｄから五千円券が繰り出され、万円券の場合と同様に表裏を揃えた状態で出金部１２へ投出される。各金種の紙幣について、このような処理を繰り返すことにより、一時保留部６０ｂ〜６０ｅに収納された全ての紙幣を、金種別に所定枚数ずつ、出金部１２に投出させることができる。
【００４９】
なお、入金部１１に載置された紙幣束の全てを一時保留部６０ｂ〜６０ｅに収納した後に出金部１２への投出を開始する他、一時保留部６０ｂ〜６０ｅへ収納された紙幣枚数が１００枚に達する度に、該紙幣を出金部１２へ投出する態様であっても構わない。この場合には、いずれかの金種の紙幣の収納枚数が１００枚に達した時点で、入金部１１からの紙幣の繰り出しを一旦停止して、１００枚の紙幣を出金部１２へ投出する。そして、投出された紙幣が出金部１２から取り除かれた後、入金部１１からの紙幣の操り出しを再開する。このような処理を繰り返すことにより、入金部１１へ載置された全紙幣の整理計数を行うことができる。このような処理の流れについては、実施例１及び実施例２に共通するものであるため、実施例２を説明した後に、図１３を参照しながら説明する。
【００５０】
また、入金部１１から装置内への各紙幣の繰り出しや一時保留部６０ｂ〜６０ｅからの紙幣の繰り出しは、表示操作部８０による操作を受けて開始される態様の他、入金部１１及び出金部１２が紙幣検知センサを備え、該検知センサによる検知結果に基づいて自動的に開始される態様であってもよい。具体的には、入金部１１へ載置された紙幣束を検知して装置内への紙幣の繰り出しを開始したり、出金部１２に紙幣が存在しないこと又は出金部１２から紙幣が取り除かれたことを検知して一時保留部６０ａ〜６０ｅから出金部１２への投出処理が自動的に開始される態様であっても構わない。
【００５１】
さらに、各金種の紙幣を出金部１２へ投出する順序についても、予め設定された金種の順に従って投出される態様の他、投出前に利用者が投出の順序を設定する態様であってもよいし、利用者が投出処理毎に投出させたい金種を指定する態様であっても構わない。
【００５２】
複数金種モードを実現するための紙幣処理の方法は、図３に示す態様に限定されるものではない。図４は、図３とは異なる態様で複数金種モードを実現する方法を説明する図である。図３の場合と同様に、入金部１１に載置された複数金種の紙幣は、１枚ずつ装置内に繰り出されて、図４（ａ）に示すように搬送される。具体的には、紙幣の表裏及び金種に基づいて、二千円券の裏券は一時保留部６０ｂに、千円券の表券は一時保留部６０ｃに、五千円券の表券は一時保留部６０ｄに、万円券の表券は一時保留部６０ｅに分類して収納される。また、二千円券の表券と、千円券、五千円券及び万円券の裏券とは、一時保留部６０ａに混在した状態で収納される。
【００５３】
なお、二千円券については裏券のみを集めて一時保留部６０ｂに収納するのに対して、他金種については表券のみを集めて一時保留部６０ｃ〜６０ｅに集めて収納しているが、これは、図１に示す紙幣処理装置１の構造によるものである。具体的には、一時保留部６０ｂについてのみ図１の右側から紙幣が収納されるのに対して、他の一時保留部６０ａ及び６０ｃ〜６０ｅでは左側から紙幣が収納されるため、一時保留部６０ｂに収納される二千円券のみが、他の一時保留部６０ａ及び６０ｃ〜６０ｅに収納される金種の紙幣と異なる面を上にして収納される。なお、収納する紙幣の表裏設定は、一時保留部６０ａ〜６０ｅから繰り出されて右方向へ搬送された紙幣が、識別部３０及び表裏反転部４０の非反転ルートを経て出金部１２へ投出された際に、表券の状態で投出されるように設定されている。
【００５４】
入金部１１に載置された全ての紙幣が、対応する一時保留部６０ａ〜６０ｅに分類して収納されると、図４（ｂ）に示すように、各一時保留部６０ａ〜６０ｅに収納された紙幣を出金部１２に投出する処理が開始される。
【００５５】
例えば、一時保留部６０ｅから万円券の表券が繰り出されて、識別部３０及び表裏反転部の非反転ルートを経て搬送され、表券の状態で出金部１２へ投出される。続いて、一時保留部６０ａに他金種と混在した状態で収納されている万円券裏券の出金部１２への投出処理が開始される。
【００５６】
一時保留部６０ａから繰り出された各紙幣は、搬送部によって識別部３０に搬送されて識別される。そして、識別された紙幣が万円券の裏券であった場合には、表裏反転部４０の反転ルートを経て表裏が反転された後、表券の状態で出金部１２に投出される。これにより、出金部１２には、万円券の表券のみを投出することができる。
【００５７】
識別の結果、一時保留部６０ａから繰り出された紙幣が万円券裏券以外の紙幣であった場合には、表裏反転部４０の非反転ルートを経て搬送された後、図４（ｂ）に破線で示したように、対応する一時保留部６０ｂ〜６０ｅに収納される。
【００５８】
一時保留部６０ａから繰り出された紙幣は、識別部３０及び表裏反転部４０の非反転ルートを経て、再び一時保留部６０ｃ〜６０ｅへ収納されるときには、一時保留部６０ａに収納されていたときとは表裏が反転された状態で収納される。これにより、一時保留部６０ａから繰り出された千円券及び五千円券の裏券は、各々表券の状態で一時保留部６０ｃ及び６０ｄに収納される。
【００５９】
このとき、二千円券については、一時保留部６０ａから繰り出された表券を搬送して一時保留部６０ｂの右側から収納すると再び表券として収納されることになる。このため、二千円券については、一旦一時保留部６０ｂを通り過ぎるように搬送した後、逆方向へ戻すように搬送することにより裏券として収納する。または、表裏反転部４０の反転ルートを経て表裏反転してから、一時保留部６０ｂを通り過ぎることなくそのまま収納するようにしてもよい。このように、二千円券については他金種と異なる搬送を行う必要があるが、市場での二千円券の流通量は他金種に比べて少ないため、このような搬送をする回数を抑えることができる。
【００６０】
万円券の裏券を出金部１２へ投出しながら、他金種の紙幣は出金部１２へ投出することなく退避させて対応する一時保留部６０ｂ〜６０ｄに収納させる処理を続けて、一時保留部６０ａに収納された紙幣が全て繰り出されると、一時保留部６０ｂ〜６０ｄに、予め設定された金種の紙幣が表裏を揃えて収納された状態となる。よって、以降は、各一時保留部６０ｂ〜６０ｄから、金種別に順に紙幣を繰り出すことにより、所定金種の紙幣を、表裏を揃えた状態で出金部１２に投出することができる。
【００６１】
なお、１００枚ずつ紙幣を投出するように設定されている場合には、図３を参照しながら説明した場合と同様に、１００枚の万円券が出金部１２へ投出された時点で紙幣の投出が停止される。そして、出金部１２から紙幣を取り除かれた後に投出が再開される。
【００６２】
また、図３を参照しながら説明した場合と同様に、入金部１１に載置された紙幣束の全てを一時保留部６０ｂ〜６０ｅに収納した後に出金部１２への紙幣投出を開始する他、一時保留部６０ｂ〜６０ｅへ収納された紙幣枚数が１００枚に達する度に、該紙幣を出金部１２へ投出する態様であっても構わない。
【００６３】
図４（ａ）に示す方法では、同一金種の紙幣が表裏によって２つの異なる一時保留部へ収納される。例えば、同じ万円券であっても、表券は一時保留部６０ｅへ収納され、裏券は一時保留部６０ａへ収納される。このため、紙幣枚数が１００枚に達したか否かを判定する判定条件については、一時保留部６０ａ又は６０ｅのいずれかで万円券の収納枚数が１００枚に達した場合に条件を満たすと判定する態様の他、一時保留部６０ａ及び６０ｅの収納枚数の合計が１００枚に達した場合に条件を満たすと判定する態様であっても構わない。
【００６４】
例えば、図４（ｃ）に示したように、一時保留部６０ｅに収納された万円券の表券の収納枚数が９２枚に達したときに、一時保留部６０ａに金種混合状態で収納された１５枚の紙幣の中に万円券の裏券が８枚含まれている場合には、万円券の合計枚数が１００枚となるので判定条件を満たすと判定される。判定条件が満たされると、入金部１１からの紙幣の繰り出しを一旦停止して、搬送部５０を搬送中の紙幣が全て対応する収納部に収納されるのを待って、図４（ｂ）に示すように、万円券の投出が開始される。
【００６５】
まず、一時保留部６０ｅに収納された９２枚の万円券の表券が全て出金部１２に投出される。続いて、一時保留部６０ａの８枚の万円券の裏券が表裏反転部４０によって表裏反転された後、万円券の表券として出金部１２に投出される。これにより１００枚の万円券の表券を出金部１２へ投出することができる。
【００６６】
このとき、一時保留部６０ａの１５枚の紙幣の中に、８枚の万円券の裏券の他に、例えば、５枚の千円券の裏券と、２枚の五千円券の裏券とが含まれていた場合には、これらの紙幣を出金部１２へ投出することなく退避する処理が行われる。具体的には、搬送部５０のループ状の搬送路部分を反時計回りに、識別部３０及び表裏反転部４０の非反転ルートを経て搬送された後、千円券の表券及び五千円券の表券は、各々対応する一時保留６０ｃ及び６０ｄに収納される。こうして、万円券の表券の出金部１２への投出と、投出対象外紙幣である千円券及び五千円券を退避して収納する処理が完了すると、入金部１１に残っている紙幣の繰り出しが再開される。
【００６７】
なお、複数金種の紙幣が混在する一時保留部６０ａからの紙幣の繰り出しについては、投出対象紙幣の全てを繰り出すことができれば、全ての投出対象外紙幣を退避収納することなく、その一部を一時保留部６０ａに収納した状態のままとしてもよい。具体的には、例えば、図４（ｃ）の例では、投出対象である８枚の万円券の裏券が一時保留部６０ａから繰り出された後、一時保留部６０ａに千円券や五千円券の裏券が残っている場合でも、そのままの状態で、万円券裏券の投出処理と千円券及び五千円券の退避収納処理とを完了して、入金部１１に残っている紙幣の処理を再開してもよい。
【００６８】
このように、複数金種の紙幣が混在する一時保留部６０ａと、金種別に収納された一時保留部６０ｂ〜６０ｅとの収納枚数の合計が１００枚に達した金種の紙幣を、順次、出金部１２へ投出しながら、入金部１１に載置された紙幣の処理を続けることにより、入金部１１へ載置された全紙幣の整理計数を行うことができる。
【００６９】
図３及び図４では、表裏反転部４０を利用して紙幣の表裏を揃えながら紙幣を投出する態様を示したが、表裏反転部４０を利用することなく整理計数処理を行うこともできる。図５は、表裏反転部４０を利用することなく紙幣の表裏を揃えながら整理計数処理を行う方法を説明する図である。この方法によれば、表裏反転部４０を有さない装置を利用する場合でも、紙幣の表裏を揃えて出金部１２に投出することができる。
【００７０】
まず、図４の場合と同様に、入金部１１に載置された複数金種の紙幣は、１枚ずつ装置内に繰り出されて、図５（ａ）に示すように搬送される。こうして、入金部１１に載置された全ての紙幣が、対応する一時保留部６０ａ〜６０ｅに分類して収納されると、次に、図５（ｂ）に示すように、一時保留部６０ａに収納された紙幣が繰り出されて、対応する各一時保留部６０ｂ〜６０ｅに金種別に収納される。
【００７１】
具体的には、一時保留部６０ａから繰り出された紙幣は、識別部３０によって識別されて、表裏反転部４０の非反転ルートを表裏反転されることなく搬送された後、対応する一時保留部６０ｂ〜６０ｅに収納される。このとき、図４（ｂ）を参照しながら説明したように、搬送部５０のループ状搬送路を搬送された紙幣は、表裏を反転した状態で各一時保留部６０ｂ〜６０ｅに収納される。
【００７２】
このため、一時保留部６０ａに収納された紙幣が全て繰り出されると、図５（ｃ）に示すように、一時保留部６０ｂ〜６０ｅには予め設定された金種及び表裏の紙幣が収納された状態となる。よって、以降は、同図に示したように、各一時保留部６０ｂ〜６０ｄから紙幣を繰り出して、表裏を揃えた状態で各金種の紙幣を出金部１２に投出することができる。
【００７３】
なお、紙幣を１００枚ずつ整理計数するように設定されている場合の処理や、複数の一時保留部６０ａ〜６０ｅの同一金種の紙幣の合計枚数が１００枚に達する度に紙幣を投出する処理方法は、図４を参照しながら説明した処理と同様であるため説明を省略する。
【００７４】
次に、単金種モードでの整理計数処理について説明する。図６は、単金種モードで整理計数処理を行う場合の紙幣処理について説明する図である。単金種モードで整理計数処理の対象とする金種は、利用者によって選択される。金種の選択は、表示操作部８０を操作して行うこともできるし、上位端末９０から行うこともできる。また、予め金種を選択する操作を行うことなく、入金部１１に載置された紙幣束の処理を開始して、最初に識別された紙幣の金種を処理対象金種として整理計数処理を進めることもできる。
【００７５】
例えば、整理計数処理の対象金種として万円券が選択された場合には、図６（ａ）に示すように、入金部１１から繰り出された紙幣を識別部３０によって識別して、万円券であれば、表裏によらず一時保留部６０ｂ〜６０ｅに収納して、万円券でなければ破線で示したように一時保留部６０ａ〜６０ｅに収納することなく出金部１２へ投出する。ただし、一時保留部６０ａ〜６０ｅのいずれか１つのみを万円券の収納に利用してもよいし、全ての一時保留部６０ａ〜６０ｅを利用しても構わない。整理計数処理時に各一時保留部６０ａ〜６０ｅに収納する紙幣の種類は設定変更することができる。
【００７６】
各一時保留部６０ｂ〜６０ｅに紙幣が収納された後は、図６（ｂ）に示すように、各一時保留部６０ｂ〜６０ｅから、表裏反転部４０を利用して、表裏を揃えた状態で万円券を出金部１２に投出することができる。
【００７７】
また、単金種モードについても、表裏反転部４０を利用することなく整理計数処理を実現することができる。具体的には、まず、図７（ａ）に示すように、整理計数処理の対象金種である万円券を表券と裏券とに分けて一時保留部６０ａ、６０ｃ〜６０ｅに収納する。そして、図７（ｂ）に示すように、一時保留部６０ａ及び６０ｄから万円券裏券を繰り出して、識別部３０及び表裏反転部４０の非反転ルートを経て、搬送部５０のループ状搬送路を反時計回りに搬送して、一時保留部６０ｃ及び６０ｅに表券の状態で収納する。そして、図７（ｃ）に示すように、一時保留部６０ｃ及び６０ｅから万円券表券を繰り出して、識別部３０及び表裏反転部４０の非反転ルートを経て搬送して、表裏を揃えた状態で出金部１２へ投出すればよい。
【００７８】
上述してきたように、本実施例によれば、紙幣処理装置１が備える複数の一時保留部６０ａ〜６０ｂを利用して、入金部１１から投入された紙幣束の整理計数処理を行うことができる。整理計数処理として、従来装置と同様に単一金種の紙幣のみを処理対象とした単一金種モードを実行することもできるし、複数金種の紙幣を処理対象として各金種の紙幣を所定枚数ずつ順次出金部１２へ投出する複数金種モードを実行することもできる。
【００７９】
また、複数金種モードでは、入金部１１から複数金種の紙幣が混在する紙幣束を投入するだけで、出金部１２に、枚数計数された紙幣が表裏を揃えた状態で金種別に順次投出されるので、容易かつ短時間に整理計数処理を行うことができる。
【００８０】
また、表裏反転部４０を利用して表裏を揃えた状態で出金部１２へ紙幣を投出することもできるし、表裏反転部４０を利用することなく紙幣の収納先を変更することによって表裏反転させて、表裏を揃えてから出金部１２へ紙幣を投出することもできる。表裏反転部４０の反転ルートでは紙幣の表裏を変更するように搬送するため、非反転ルートに比べると紙幣のジャムが発生する可能性が高くなる。表裏反転部４０を利用することなく紙幣の表裏を反転することで、ジャムの発生を抑制するという効果も得られる。
【実施例２】
【００８１】
図８は、本実施例に係る紙幣処理装置１００の構成概略を示す断面模式図である。紙幣処理装置１００は、装置内に紙幣を投入するための入金部１１１と、装置内から紙幣を投出するための出金部１１２と、リジェクト紙幣を収納するためのリジェクト部１１３と、紙幣の金種、真偽、正損及び表裏を識別するための識別部１３０と、識別部１３０による識別結果に基づいて紙幣を分類収納するための着脱式の紙幣カセット１２０ａ〜１２０ｅと、反転ルート及び非反転ルートから成り紙幣の表裏を揃えるための表裏反転部１４０と、これらの各部の間で紙幣を搬送するための搬送部１５０とを備える。
【００８２】
また、紙幣処理装置１００は、テープ式の一時保留部１６０を備えている。本実施例の紙幣処理装置１００には、一時保留部１６０が１つしかない点が、実施例１と異なっている。紙幣処理装置１００は、この単一の一時保留部１６０を利用して、実施例１の紙幣処理装置１と同様に、複数金種モード及び単金種モードの２つの動作モードで整理計数処理を行うことができる。
【００８３】
なお、本実施例の紙幣処理装置１００は、一時保留部１６０が１つである点や紙幣の収納先が全て着脱式の紙幣カセット１２０ａ〜１２０ｅである点を除いて、実施例１に示した紙幣処理装置１と同様の構成を有している。紙幣処理装置１００についても、図２に示したように、制御部１０、記憶部７０及び表示操作部８０を備え、上位端末９０と通信可能になっている。
【００８４】
また、本実施例に係る紙幣処理装置１００の機能及び動作については、例えば、特開２０１１−１５９０７５号公報に開示された従来装置と同様であるため、詳細な説明は省略することとし、以下では、本実施例に係る整理計数処理について説明を続ける。
【００８５】
まず、複数金種モードでの整理計数処理について説明する。図９は、紙幣処理装置１００によって複数金種モードで整理計数処理を行う場合の紙幣処理について説明する図である。
【００８６】
入金部１１１に、複数金種の紙幣が混在する紙幣束が載置されると、各紙幣が１枚ずつ装置内へ繰り出される。入金部１１１から繰り出された紙幣は、搬送部１５０によって、図９（ａ）に示すように搬送される。具体的には、表裏反転部１４０の非反転ルートを経て搬送された各紙幣は、識別部１３０によって金種、真偽、正損及び表裏が識別される。そして、識別された全ての紙幣が一時保留部１６０に収納される。
【００８７】
このとき、識別部１３０によって偽券と識別された紙幣や識別できなかった紙幣等、所定条件に合致する紙幣はリジェクト部１１３に搬送されて収納される。また、一時保留部１６０に収納された各紙幣の金種や表裏等の情報は、制御部１０によって記憶部７０に保存される。
【００８８】
こうして、入金部１１１に載置された全ての紙幣が繰り出されて一時保留部１６０に収納されると、図９（ｂ）に示すように、出金部１１２への紙幣の投出が開始される。例えば、まず最初に万円券の投出が開始される。
【００８９】
一時保留部１６０から繰り出された紙幣は、搬送部１５０によって識別部１３０へ搬送されて識別される。識別の結果、紙幣が万円券の表券であった場合には、表裏反転部１４０の非反転ルートを経て表券のまま出金部１１２に投出される。紙幣が万円券の裏券であった場合には、表裏反転部１４０の反転ルートを経て表裏が反転され、表券として出金部１１２に投出される。また、万円券以外の紙幣、すなわち投出対象外紙幣であった場合には、出金部１１２へ投出することなく退避させて、紙幣カセット１２０ａに収納される。これにより、表裏が揃った状態で万円券のみを出金部１１２に投出することができる。
【００９０】
なお、紙幣処理装置１００の一時保留部１６０は、テープ式の収納部であるため、紙幣を１枚ずつ確実に収納し、収納した順と逆の順で紙幣を確実に繰り出すことができる。このため、一時保留部１６０から繰り出した紙幣を、識別部１３０によって再識別することなく、収納時の識別結果に基づいて、万円券表券の投出、万円券裏券の表裏反転及び投出、投出対象外紙幣の退避及び収納の各処理を行っても構わない。
【００９１】
万円券の投出が完了した後、これを示す情報が表示操作部８０に表示される。利用者が該表示を確認して出金部１１２から紙幣を取り除き、表示操作部８０を操作すると、次に、万円券の場合と同様に、五千円券の投出が開始される。
【００９２】
紙幣カセット１２０ａから繰り出された紙幣は、図９（ｃ）に示すように搬送される。まず、紙幣カセット１２０ａから繰り出された紙幣は、搬送部１５０によって識別部１３０へ搬送されて識別される。識別の結果、紙幣が五千円券の表券であった場合には、表裏反転部１４０の非反転ルートを経て表券のまま出金部１１２に投出される。紙幣が五千円券の裏券であった場合には、表裏反転部１４０の反転ルートを経て表裏が反転され、表券として出金部１１２に投出される。また、五千円券以外の紙幣、すなわち投出対象外紙幣であった場合には、出金部１１２へ投出することなく退避させて、一時保留部１６０に収納される。これにより、表裏が揃った状態で五千円券のみを出金部１１２に投出することができる。
【００９３】
このように、図９（ｂ）及び（ｃ）に示した処理を繰り返すことにより、全ての紙幣を、金種別に整理して出金部１１２に投出することができる。
【００９４】
なお、紙幣を１００枚ずつ投出するように設定されている場合には、一時保留部１６０から１００枚の所定金種の紙幣が繰り出されて出金部１１２へ投出された時点で、紙幣の投出が停止される。そして、利用者が、出金部１１２から紙幣を取り除き、表示操作部８０を操作すると、一時保留部１６０からの紙幣の投出が再開される。１００枚ずつ紙幣を投出する処理が繰り返されて、一時保留部１６０に残った所定金種の紙幣の枚数が１００枚に満たない状態になると、端数紙幣の全てが出金部１１２へ投出されると共に、表示操作部８０には投出された端数紙幣の枚数が表示される。この表示によって、利用者は、投出された紙幣が１００枚に満たないことを認識することができる。各金種について同様の処理が行われ、一時保留部１６０に収納された全ての紙幣が、金種別に表裏を揃えた状態で所定枚数ずつ出金部１１２へ投出される。
【００９５】
実施例１の場合と同様に、入金部１１１からの紙幣の繰り出し及び出金部１１２への紙幣の投出は、利用者による操作を受けて行う態様の他、入金部１１１及び出金部１１２の備えるセンサによって紙幣の有無を検知して自動的に開始される態様であってもよい。
【００９６】
複数金種モードを実現するための方法は、図９に示す態様に限定されるものではない。図９では表裏反転部１４０を利用して紙幣の表裏を揃えながら出金部１１２に投出する態様を示したが、表裏反転部１４０を利用することなく整理計数処理を行うこともできる。
【００９７】
図１０は、表裏反転部１４０を利用することなく紙幣の表裏を揃えながら整理計数処理を行う方法について説明する図である。この方法によれば、表裏反転部１４０を有さない装置を利用する場合でも、出金部１１２に表裏を揃えた紙幣を投出することができる。
【００９８】
まず、図９の場合と同様に、入金部１１１に載置された全ての紙幣が、１枚ずつ装置内へ繰り出されて識別された後、図１０（ａ）に示すように一時保留部１６０に収納される。入金部１１１に載置された全ての紙幣が繰り出されて、一時保留部１６０に収納されると、図１０（ｂ）に示すように、出金部１１２への紙幣の投出が開始される。例えば、まず最初に万円券の投出が開始される。
【００９９】
一時保留部１６０から繰り出された紙幣は、搬送部１５０によって識別部１３０へ搬送されて識別される。識別の結果、紙幣が万円券の表券であった場合には、表裏反転部１４０の非反転ルートを経て表券のまま出金部１１２に投出される。紙幣が万円券の裏券であった場合や、万円券以外の紙幣、すなわち投出対象外紙幣であった場合には、表裏反転部１４０の非反転ルートを経て搬送して、出金部１１２へ投出することなく退避させて紙幣カセット１２０ａに収納する。これにより、出金部１１２には万円券の表券のみが投出される。
【０１００】
一時保留部１６０から繰り出された紙幣は、ループ状の搬送部１５０を搬送される間に表裏が反転される。具体的には、図１０（ｂ）に示したように、一時保留部１６０に収納されていた万円券裏券２００は万円券表券２０１として出金部１１２へ投出され、一時保留部１６０の万円券表券２１０は万円券裏券２１１として紙幣カセット１２０ａへ収納される。また、万円券以外の投出対象外紙幣については、一時保留部１６０の裏券３００及び表券３１０が、各々反転されて、表券３０１及び裏券３１１として紙幣カセット１２０ａへ収納される。
【０１０１】
次に、図１０（ｃ）に示したように、紙幣カセット１２０ａからの紙幣の繰り出しが開始され、万円券裏券２１１が、万円券表券２１２として出金部１１２に投出される。そして、万円券以外の投出対象外紙幣については、紙幣カセット１２０ａの表券３０１及び裏券３１１が、各々反転されて、裏券３０２及び表券３１２として一時保留部１６０へ収納される。
【０１０２】
このように、一時保留部１６０と紙幣カセット１２０ａとの間で、紙幣を移動させることによって、表裏反転部１４０を利用することなく、万円券の表券のみを出金部１１２へ投出することができる。
【０１０３】
万円券の投出が完了すると、同様に、図１０（ｂ）及び（ｃ）に示した搬送処理を交互に繰り返しながら他金種の紙幣を出金部１１２へ投出する。こうして、一時保留部１６０及び紙幣カセット１２０ａを利用して、一金種ずつ、紙幣を投出することにより、全ての紙幣を、金種別に表裏を揃えた状態で所定枚数ずつ出金部１１２に投出することができる。
【０１０４】
表裏反転部１４０を利用することなく整理計数処理を行う態様は図１０に示す方法に限定されるものではない。図１１は、表裏反転部１４０を利用することなく紙幣の表裏を揃えながら整理計数処理を行う他の方法を説明する図である。
【０１０５】
まず、図１０の場合と同様に、入金部１１１に載置された全ての紙幣が、１枚ずつ装置内へ繰り出されて識別される。そして、識別結果に基づいて、図１１（ａ）に示すように、全ての裏券が一時保留部１６０に収納され、全ての表券が紙幣カセット１２０ａに収納される。
【０１０６】
こうして、入金部１１１に載置された全ての紙幣が繰り出されて、一時保留部１６０又は紙幣カセット１２０ａに収納されると、図１１（ｂ）に示すように、紙幣カセット１２０ａからの紙幣の繰り出しが開始される。紙幣カセット１２０ａから繰り出された紙幣は、識別部１３０を経て搬送され、一時保留部１６０へ収納される。このとき、紙幣カセット１２０ａに収納されていた表券４００が、一時保留部１６０に裏券４０１として収納される。
【０１０７】
紙幣カセット１２０ａから全ての紙幣が繰り出されて、裏券４０１の状態で一時保留部１６０に収納された後、出金部１１２への紙幣の投出が開始される。例えば、まず最初に万円券の投出が開始される。
【０１０８】
具体的には、図１１（ｃ）に示すように、一時保留部１６０から繰り出された万円券裏券４０１が、識別部１３０を経て、万円券表券４０２として出金部１１２へ投出される。そして、万円券以外の紙幣、すなわち投出対象外紙幣は、出金部１１２へ投出することなく退避させて、表券４０３の状態で紙幣カセット１２０ａに収納する。これにより、出金部１１２には万円券の表券４０２のみを投出することができる。
【０１０９】
一時保留部１６０から出金部１１２への万円券の投出が完了すると、再び、図１１（ｂ）と同様に、紙幣カセット１２０ａの表券を繰り出して、裏券として一時保留部１６０へ収納する処理が行われる。そして、次に、同図（ｃ）と同様に、例えば五千円券の表券が出金部１１２へ投出する処理が行われる。すなわち、図１１（ｂ）及び（ｃ）に示した搬送を繰り返すことにより、全金種の紙幣を出金部１１２へ投出する。
【０１１０】
こうして、一時保留部１６０及び紙幣カセット１２０ａを利用して一金種ずつ紙幣を投出することにより、全ての紙幣を、金種別に整理して表裏を揃えた状態で所定枚数ずつ出金部１１２に投出することができる。
【０１１１】
なお、図１１では、同図（ａ）に示すように入金部１１１からの収納を終えた後、同図（ｂ）に示すように最初に紙幣カセット１２０ａから一時保留部１６０へ紙幣を移動する例を示したが、最初に一時保留部１６０から紙幣カセット１０２ａに紙幣を移動させる態様であっても構わない。その後、図１１（ｂ）及び（ｃ）に示す処理を繰り返すことで、全金種の紙幣を整理計数することができる。
【０１１２】
また、同様の処理内容となるため詳細な説明は省略するが、図１１に示す処理方法においても、他の方法と同様に、各金種の紙幣を１００枚ずつ投出したり、入金部１１１から全ての紙幣を繰り出すことなく装置内部での収納枚数が１００枚に到達した時点で、入金部１１１からの紙幣の繰り出しを停止して、出金部１１２への紙幣の投出を開始するように処理することもできる。
【０１１３】
整理計数処理の処理対象紙幣は、装置内部の収納部に収納した状態を維持されることなく装置外へ投出される。このため、ジャム等のトラブル発生時に、収納部内に収納済みの紙幣と整理計数処理の処理対象紙幣とが混在しないよう、整理計数処理には、紙幣が収納されていない収納部を利用することが望ましい。
【０１１４】
一時保留部は、入出金処理時にのみ一時的に紙幣が収納され、それ以外のときには空の状態であるため、整理計数処理への利用に適している。図９〜図１１に示した整理計数処理では、紙幣カセット１２０ａを利用するが、これについても、整理計数処理開始時に、内部に紙幣が収納されていない空の状態であることが望ましい。例えば、装置内への紙幣の補充や装置内からの紙幣の回収に利用され、通常は空の状態の紙幣カセットがあれば、この紙幣カセットを利用する。
【０１１５】
ただし、本実施例の紙幣処理装置１００のように、一時保留部１６０を１つしか有さない場合でも、複数の紙幣カセット１２０ａ〜１２０ｅを利用して、整理計数処理を実現することもできる。
【０１１６】
図１２は、一時保留部１６０と、複数の紙幣カセット１２０ｂ〜１２０ｅとを利用して、整理計数処理を実現する方法を説明する図である。まず、入金部１１１に載置された複数金種の紙幣が１枚ずつ装置内へ繰り出されて、識別部１３０によって識別された後、図１２（ａ）に示すように搬送される。具体的には、紙幣の表裏及び金種に基づいて、二千円券の表券は紙幣カセット１２０ｂに、千円券の表券は紙幣カセット１２０ｃに、五千円券の表券は紙幣カセット１２０ｄに、万円券の表券は紙幣カセット１２０ｅに分類して収納される。また、金種によらず、表券は全て、一時保留部１６０収納される。
【０１１７】
こうして、入金部１１１に載置された全ての紙幣が、一時保留部１６０及び紙幣カセット１２０ｂ〜１２０ｅに分類して収納されると、図１２（ｂ）に示すように、各紙幣カセット１２０ｂ〜１２０ｅに収納された紙幣の繰り出しが開始される。各紙幣カセット１２０ｂ〜１２０ｅに収納された表券の紙幣は、搬送部１５０を搬送される間に表裏反転されて、裏券の状態で一時保留部１６０へ収納される。
【０１１８】
各紙幣カセット１２０ｂ〜１２０ｅから全ての紙幣が繰り出され、表裏反転されて一時保留部１６０に収納されると、全ての紙幣が裏券として一時保留部１６０に収納された状態となる。すなわち、図１１（ｂ）に示したように、紙幣カセット１２０ａから全ての紙幣を繰り出して一時保留部１６０へ収納した場合と同じ収納状態となる。
【０１１９】
よって、これ以降は、図１１（ｂ）及び（ｃ）を参照しながら説明したのと同様に、一時保留部１６０及び紙幣カセット１２０ａを利用して、各金種の紙幣を、表裏を揃えた状態で出金部１１２へ投出することができる。
【０１２０】
次に、紙幣処理装置１００を利用して行う単金種モードについて説明する。単金種モードでは、単一金種の紙幣のみが整理計数される。
【０１２１】
図９〜図１２の各図（ａ）に示した入金部１１１からの紙幣の繰り出し工程で、処理対象となる単一金種のみを、各図に図示したように収納部へ収納して、対象外金種の紙幣全てを出金部１１２へ投出すれば、紙幣処理装置１００内部には、処理対象金種の紙幣のみが収納された状態となる。この状態で、図９〜図１２の各図を参照しながら説明した方法で処理を行えば、各処理が処理対象金種の紙幣のみについて行われることになり、単一金種モードを実現することができる。
【０１２２】
すなわち、図９〜図１２の投出対象の各金種を、単金種モードの処理対象金種に置き換えることで、単金種モードを実現することができる。処理内容については、各図を参照しながら処理と同様であるため説明を省略する。
【０１２３】
上述してきたように、本実施例によれば、紙幣処理装置１００が備える一時保留部１６０を利用して、整理計数処理として、従来装置と同様に単一金種の紙幣のみを処理対象とした単一金種モードを実行することもできるし、複数金種の紙幣を処理対象として各金種の紙幣を順次出金部１１２へ投出する複数金種モードを実行することもできる。
【０１２４】
また、複数金種モードでは、入金部１１１から複数金種の紙幣が混在する紙幣束を投入するだけで、出金部１１２に、枚数計数された紙幣が表裏を揃えた状態で金種別に順次投出されるので、容易かつ短時間に整理計数処理を行うことができる。
【０１２５】
また、表裏反転部１４０を利用して表裏を揃えた状態で出金部１１２へ紙幣を投出することもできるし、表裏反転部１４０を利用することなく紙幣の収納先を変更することにより表裏反転して表裏を揃えた状態で出金部１１２へ紙幣を投出することもできる。表裏反転部１４０の反転ルートでは紙幣の表裏を変更するように搬送するため、非反転ルートに比べると紙幣のジャムが発生する可能性が高くなる。表裏反転部１４０を利用することなく紙幣の表裏を反転することで、ジャムの発生を抑制するという効果も得られる。
【０１２６】
入金部に載置された全ての紙幣を装置内に収納した後に、金種別に所定枚数の紙幣を投出させることもできるが、処理対象紙幣の枚数が入金部に載置可能な容量を超えている場合や、出金部への投出を優先して所定枚数に達した金種の紙幣をすぐに投出させたい場合には、装置内の投出対象金種の紙幣収納枚数が１００枚に到達した時点で出金部へ投出させる処理方法が有効である。図１３は、実施例１及び実施例２の複数金種モードに関し、装置内の収納枚数が１００枚に到達した時点で紙幣の投出を開始する場合の処理概要を示すフローチャートである。
【０１２７】
まず、入金部に載置された紙幣が一枚ずつ装置内に繰り出される（ステップＳ１）。そして、識別部によって紙幣の識別計数処理が行われた後、各紙幣は、識別結果に基づいて対応する収納部へ収納される（ステップＳ２）。収納部として、実施例１では複数の一時保留部のみが利用され、実施例２では一時保留部及び紙幣カセットが利用される例を示した。
【０１２８】
整理計数処理の処理対象となる同一金種の紙幣の収納枚数が１００枚に到達せず（ステップＳ３；Ｎｏ）かつ装置内に投入されるべき紙幣が入金部に残っている間は（ステップＳ５；Ｎｏ）、紙幣を繰り出して（ステップＳ１）、識別して収納する処理（ステップＳ２）が繰り返される。
【０１２９】
例えば、装置内の所定収納部に収納された所定金種の合計枚数が１００枚に到達すると（ステップＳ３；Ｙｅｓ）、入金部から装置内への紙幣の繰り出しを停止して、搬送部を搬送中の紙幣を全て搬送した後、収納枚数が１００枚に到達した紙幣を出金部へ投出するための処理が開始される（ステップＳ４）。
【０１３０】
ここで、紙幣を出金部へ投出する処理は、例えば、実施例１の図３に示した方法では、一時保留部から万円券の表券をそのままの状態で出金部へ投出する処理（ステップＳ４１）と、万円券の裏券を表裏反転部によって表裏反転する処理（ステップＳ４２）を行ってから出金部へ投出する処理（ステップＳ４１）とが含まれる。
【０１３１】
また、実施例１の図４、実施例２の図９に示した方法では、万円券の表券を出金部へ投出する処理（ステップＳ４１）と、万円券の裏券を表裏反転部によって表裏反転する処理（ステップＳ４２）を行ってから出金部へ投出する処理（ステップＳ４１）と、万円券以外の投出対象外紙幣を対応する所定収納部へ退避収納する処理（ステップＳ４３）とが含まれる。
【０１３２】
また、実施例２の図１０に示した方法では、万円券の表券を出金部へ投出する処理（ステップＳ４１）と、それ以外の投出対象外紙幣を退避収納する処理（ステップＳ４３）とが行われるが、収納先が変更される退避収納を行うと同時に紙幣の表裏反転（ステップＳ４２）が行われることになる。
【０１３３】
また、実施例１の図５に示した方法では、先に表裏反転する必要がある全ての紙幣を、収納先を変更することによって表裏反転した後（ステップＳ４２）、出金部１２への投出が行われる（ステップＳ４１）。
【０１３４】
また、実施例２の図１１及び、図１２に示した方法では、先に表裏反転する必要がある全ての紙幣を、収納先を変更することによって表裏反転した後（ステップＳ４２）、万円券のみを出金部１１２へ投出しながら（ステップＳ４１）、万円券以外の投出対象外紙幣を退避させる処理（ステップＳ４３）が行われるが、収納先が変更される退避収納を行うと同時に紙幣の表裏反転（ステップＳ４２）が行われることになる。
【０１３５】
このように、装置内に収納された１００枚の紙幣を投出する際に行われる処理内容及び処理順序は、複数金種モードを実現する各方法によって異なる。
【０１３６】
１００枚の万円券の投出が完了した後、まだ入金部に載置された紙幣が残っている場合には（ステップＳ５；Ｎｏ）、ステップＳ１〜Ｓ４の処理が繰り返される。こうして、装置内に収納された同一金種の紙幣枚数が１００枚に達する度に、表裏を揃えて出金部に投出する。
【０１３７】
各金種の紙幣を１００枚ずつ投出して、装置内部に収納された同一金種の紙幣枚数が１００枚に達していないが（ステップＳ３；Ｎｏ）、投入紙幣の全てが入金部から装置内に繰り出された状態となった場合には（ステップＳ５；Ｙｅｓ）、これらの紙幣を、金種別に、表裏を揃えた状態で出金部へ投出する（ステップＳ６）。すなわち、整理計数処理の対象紙幣を金種別に１００枚ずつ表裏を揃えて投出する処理を繰り返して、装置内に１００枚に満たない各金種の端数紙幣のみが収納された状態となった場合には、これらの端数紙幣を金種別に表裏を揃えて投出して、処理を完了する。
【０１３８】
なお、単一金種モードの場合には、入金部から装置内に紙幣を繰り出して対応する収納部に収納するステップ（ステップＳ２）で、処理対象となる金種の紙幣のみを装置内に収納して、処理対象外の金種の紙幣は装置内に収納することなく出金部に投出される点のみが異なる。その他については、複数金種モードの場合と同様の処理であるため説明を省略する。
【０１３９】
このように、整理計数処理が開始されると、入金部に載置された紙幣が装置内に繰り出され、装置内で各金種の紙幣枚数が１００枚に到達する度に、紙幣の繰り出しが一旦停止され、１００枚の紙幣が表裏を揃えた状態で出金部に投出される。そして、出金部への紙幣の投出が完了すると、入金部からの紙幣の繰り出しが自動的に再開される。これにより、利用者は、入金部に紙幣を載置するだけで、全ての紙幣を、金種別に１００枚ずつの紙幣に整理することができる。
【産業上の利用可能性】
【０１４０】
以上のように、本発明は、紙幣処理装置の備える一時保留部を利用して、複数金種の紙幣の整理計数処理を行う場合でも、処理を容易かつ短時間で行うために有用な技術である。
【符号の説明】
【０１４１】
１、１００  紙幣処理装置
１０  制御部
１１、１１１  入金部
１２、１１２  出金部
１３、１１３  リジェクト部
２０ａ、２０ｂ、１２０ａ〜１２０ｅ  紙幣カセット
２１ａ〜２１ｃ  スタッカ
３０、１３０  識別部
４０、１４０  表裏反転部
５０、１５０  搬送部
６０ａ〜６０ｅ、１６０  一時保留部
７０  記憶部
８０  表示操作部
９０  上位端末
【図１】
2014002621.tif 000003
【図２】
2014002621.tif 000004
【図３】
2014002621.tif 000005
【図４】
2014002621.tif 000006
【図５】
2014002621.tif 000007
【図６】
2014002621.tif 000008
【図７】
2014002621.tif 000009
【図８】
2014002621.tif 000010
【図９】
2014002621.tif 000011
【図１０】
2014002621.tif 000012
【図１１】
2014002621.tif 000013
【図１２】
2014002621.tif 000014
【図１３】
2014002621.tif 000015